(57)【要約】【課題】  パンタグラフ式リンク機構に複数枚のパネルを取付け、通気性と採光性を備えた折畳み扉装置の提供。【解決手段】  リンク機構１５の伸縮に伴って折畳み扉１を開閉可能とし、又リンク機構１５を構成するリンク１６，１７の連結部１９において互いに噛み合う切欠き２０，２１を形成し、そして上記パネル８は複数本の格子３，３・・を有している。【選択図】    図３
2010248718.tif 000002
【特許請求の範囲】
【請求項１】
パンタグラフ式リンク機構に複数枚のパネルを取付けた折畳み扉を上枠、下枠、及び両縦枠で枠組みした枠体に装着した折畳み扉装置において、上記リンク機構の伸縮に伴って折畳み扉を開閉可能とし、又リンクの連結部において互いに噛み合う切欠きを形成し、そして上記パネルは複数本の格子を有していることを特徴とする格子状パネルで構成した折畳み扉装置。
【請求項２】
パンタグラフ式リンク機構に複数枚のパネルを取付けた折畳み扉を上枠、下枠にて構成された枠体に装着した折畳み扉装置において、上記リンク機構の伸縮に伴って折畳み扉を開閉可能とし、又リンクの連結部において互いに噛み合う切欠きを形成し、そして上記パネルは複数本の格子を有していることを特徴とする格子状パネルで構成した折畳み扉装置。
【請求項３】
上記パネル上端のリンク機構を構成するリンク連結部には上枠に形成した上レールに載る吊車を取付け、パネル下端のリンク機構を構成するリンク連結部には下枠に形成した下レールに遊嵌するスライダーを設けた請求項１、又は請求項２記載の格子状パネルで構成した折畳み扉装置。
【請求項４】
上記格子の横断面は、背面側に凹部を形成して折畳まれた際は背面側パネルの格子が重なり合うようにした請求項１、請求項２、又は請求項３記載の格子状パネルで構成した折畳み扉装置。
【請求項５】
折畳み扉が装着される枠体は、壁面に固定した金具に上枠及び下枠を係合して取付けた請求項１、請求項２、請求項３、又は請求項４記載の格子状パネルで構成した折畳み扉装置。
【発明の詳細な説明】
【技術分野】
【０００１】
本発明は近隣からの視線を緩和すると共に通気・採光性を備え、一方では折畳んだ状態で間口の開口が大きく取れるように構成した格子状パネルを備えた折畳み扉装置に関するものである。
【背景技術】
【０００２】
間口を開閉する為の１手段として折畳み扉が従来から知られている。この折畳み扉とは複数枚のパネルを継手を介して屈曲可能に連結し、そして上端は上レールに吊設され、下端はガイドレールに拘束されている。図１２は従来の一般的な折畳み扉の外観図であり、（ａ）は折畳み扉が伸長して間口が閉鎖している場合、（ｂ）は折畳み扉が折畳まれて間口が開口している場合をそれぞれ示している。
【０００３】
複数枚のパネル（イ）、（イ）・・・で構成している折畳み扉は上枠（ロ）、下枠（ハ）、及び両縦枠（ニ）、（ニ）を枠組みした長方形の枠体に装着され、主継手の上端に取着している吊車（ホ）、（ホ）・・・は上枠（ロ）に形成している上レールに載り、主継手の下端に設けているスライダー（ヘ）、（ヘ）・・・は下枠（ハ）に形成しているガイドレールに遊嵌している。
【０００４】
そこで、折畳み扉が折畳まれる場合には、吊車（ホ）、（ホ）・・・及びスライダー（ヘ）、（ヘ）・・・が上レール及び下レールに沿って移動し、副継手は上レール及び下レールから外方向へ蹴り出され、（ｂ）に示すように片側に寄せられて間口は大きく開口する。ところで、折畳み扉を構成しているパネル（イ）の形態は色々であり、長方形の枠に透明なプラスチック板を嵌めて構成した場合、又は長方形枠にアルミ板を嵌めている場合など、色々である。
【０００５】
透明なプラスチック板を嵌めるならば、採光性はあるが通気性は損なわれ、前面がアルミ板の場合には採光性もなく通気性も損なわれる。ただし、アルミ板を嵌めるならば近隣からの視線を完全に遮ることは可能である。一方、主継手と副継手を介して複数枚のパネルを連結して構成する折畳み扉の場合、開閉操作を行う場合に各パネル（イ）、（イ）・・・の動作は一定せず、そして隣り合う各パネル（イ）、（イ）・・・間に空間を作って通風や採光を図ることは出来ない。
【０００６】
すなわち、パネルの連結構造からしてルーバー機能を備えることは不可能である。そして、同図（ｂ）のように折畳み扉を完全に折畳んで間口を開口した場合、各パネル（イ）、（イ）・・・が重なり合うことから、パネル枚数が多くなると開口した間口幅は小さくなってしまう。その為に、各パネル（イ）、（イ）・・・の厚さを薄くしなくてはならず、薄くすることでパネル剛性が損なわれる。
【０００７】
そこで、各パネル（イ）、（イ）・・・をリンクを介して連結した折畳み扉が知られていて、該折畳み扉は間口を閉じた状態で各パネル（イ）、（イ）・・・を回動して向きを変え、パネル（イ）、（イ）・・・間に空間（隙間）を形成することが出来る。すなわち、パネル（イ）、（イ）・・・をリンクによって連結した折畳み扉はルーバー機能を備えることで各パネル（イ）、（イ）・・・の向きを変えて各パネル（イ）、（イ）・・・間に空間（隙間）が形成される。
【０００８】
実公昭４６−３３３２０号に係る「ブラインド」は、左右両縁を互いに異方向に折り曲げて接合縁を形成し、その上下両端には断面がＬ字状の連結片を固定した遮蔽板を所要数並立させて、１個の連結片の中央とこれらの両側に並列する各連結片の両端を連杆で連結するごとくして所要数の遮蔽板を伸縮自在に順次連結した遮蔽体を形成し、この遮蔽体と対向する側の遮蔽板には外縁は接合縁を形成することなく密閉板を内側に向かって折畳み自在に蝶着し、上部連結片における所要数のものの一側上には軸承体を緩着して該軸承体に案内輪を軸着し、下部連結片における所要数のものの一側部には支承体を回動自在に垂設して、該支承体の承口部には転球を転動自在に収容している。
【０００９】
特開２０００−２０６０号に係る「ブラインド式雨戸」は、それ自体で雨や雪及び塵埃除けの庇体を有する構造としている。
そこで、 ブラインド式雨戸を嵌め込む雨戸用枠体を形成し、その雨戸用枠体の上辺部に一体で庇体を形成する。庇体には下向きのスリットを形成したガイドレール部を一体形成し、スリットにスラットの上端部のガイドピンを挿入し、ガイドピンにローラを連結する。雨戸用枠体の下辺部にはスリットを形成したガイドレール部を一体形成し、スリットにスラットの下端部のガイドピンを挿入してピンで抜け止めしている。
【００１０】
特開２００５−１０５５１５号に係る「ブラインド式雨戸の取付構造」は、ブラインド式雨戸の上枠の取付作業性を向上させるものである。
そこで、建物に形成された窓用の開口部の外壁に固定された雨戸用案内枠が、上辺部を構成する上枠と、側辺部を構成する左右の縦枠と、下辺部を構成する下枠とを有している。この上枠は、ブラインド式雨戸を吊支する枠本体と、この枠本体を外壁に固定する固定部とを備えている。この両者が別体により構成されているとともに、枠本体には、庇体が一体形成された構造としている。
【００１１】
これらブラインド機構はリンク機構を有して開閉操作することが出来る。しかし、折畳み扉を構成するパネルは平坦な板材で構成され、伸長して間口を閉じた状態では通気性並びに採光性は損なわれる。
【特許文献１】実公昭４６−３３３２０号に係る「ブラインド」
【特許文献２】特開２０００−２０６０号に係る「ブラインド式雨戸」
【特許文献３】特開２００５−１０５５１５号に係る「ブラインド式雨
【発明の開示】
【発明が解決しようとする課題】
【００１２】
このように、従来の折畳み扉装置には上記の問題がある。本発明が解決しようとする課題はこれら問題点であり、開閉操作が安定して各パネルのガタ付きはなく、伸長した閉鎖状態でも通気性及び採光性を備え、しかも折畳まれた状態では大きな開口が形成される格子状パネルで構成した折畳み扉装置を提供する。
【課題を解決するための手段】
【００１３】
本発明に係る折畳み扉装置は格子状を形成し、パンタグラフ式リンク機構を上下端に備えた折畳み扉であり、すなわち複数枚の格子状パネル上下端にはリンク機構を構成するパンタグラフ式リンクが取付けられている。従って、リンク機構の伸縮動に伴って格子状の折畳み扉は開閉することが出来、その為に、各パネルの片側端にはその上方に吊車が取付けられ、下方にはスライダーを備えている。
【００１４】
吊車は上レールに載ると共にスライダーは下レールに遊嵌しており、リンク機構は上下レールに沿って伸縮し、該リンク機構の各リンクに取付けられている格子状パネルはその向きを変えて移動し、折畳み扉は伸縮することで開閉する。ここで、格子状パネルはリンク機構と独立した部材として構成し、この格子状パネルをリンクに取着する場合のみならず、上下リンク機構を構成するリンクを複数本の格子にて連結した構造とすることも出来る。
（１）格子の断面
パネルを構成する格子の横断面は正面側を凸状を成し、背面側は凹状とすることが出来、このような断面形状にすることで、折畳み扉を折り畳んだ際に各格子は一部が嵌って重合される。
（２）フランス落し
格子にはフランス落しを設けている。従ってフランス落しを降下するならばリンクに係合してリンク機構の収縮が阻止されて折畳み扉を折畳んで間口を開くことが出来なくなる。
（３）折畳み全閉鎖時の各パネルの平面内での納まり
リンク機構を構成する各リンクの先端は切欠かれ、リンク機構が伸展した状態では、隣り合うリンクの切欠き部が互いに噛み合って１本のリンク幅となる。その為に、リンクが取付けられている各格子状パネルは一平面となる。
（４）枠体を構成する上枠の分割構造
折畳み扉が装着される上枠は上枠本体と補助上枠の２ピース構造としている。上枠本体は建物壁面に固定され、この上枠本体に補助上枠が組み付けられる。そして、建物壁面には金具が固定され、この金具に上枠及び下枠が係合して取付けられる。
【発明の効果】
【００１５】
本発明に係る折畳み扉装置は複数枚の格子状パネルがパンタグラフ式リンク機構に取付けられている為に、各格子状パネルは重なり合って折畳まれる。格子状パネルは複数本の格子を有していることで、折畳み扉が伸長して間口が閉じられても、各格子間には空間（隙間）が形成されることで通気性があり、採光性を有す。従って、折畳み扉を伸長して閉じた状態では、近隣からの視線を適当に緩和出来、折畳むことで間口を大きく開口することが出来る。
【００１６】
一方、該折畳み扉は窓の正面に装着されるならば、一定間隔で配列される格子の外観は好ましく、和風住宅はもとより洋風住宅にも違和感なく調和する。そして、リンク機構を構成する各リンクの先端は切欠かれ、リンク機構が伸長した状態では、隣り合うリンクの切欠き部が互いに噛み合って１本のリンク幅となる。その為に、リンクが取付けられている各格子状パネルは一平面となる。そして、格子の正面は凸状を成し、背面は凹状と成っていることで、折畳まれた状態では各パネルの格子は互いに重なり合うことでコンパクトに折畳まれ、開口は大きくなる。
【図面の簡単な説明】
【００１７】
【図１】本発明に係る格子パネルで構成した折畳み扉装置で、（ａ）は折畳み扉が伸長している場合、（ｂ）は折畳み扉が折畳まれている場合。
【図２】折畳み扉装置の縦断面図。
【図３】折畳み扉装置の横断面図。
【図４】折畳み扉上端のリンク機構に吊車を取付けている場合。
【図５】折畳み扉が伸長した場合の正面図。
【図６】折畳み扉が折畳まれた場合の正面図。
【図７】パネルを構成する格子が互いに重なり合っている場合。
【図８】折畳み扉の横断面で、（ａ）は折畳み扉が伸長している場合、（ｂ）は折畳み扉が折畳まれている行程、（ｃ）は折畳み扉が折畳まれた場合。
【図９】リンク機構を構成するリンクで、（ａ）は屈曲しているリンク、（ｂ）は一直線状に延びているリンク。
【図１０】折畳み扉が伸長している場合の背面図。
【図１１】折畳み扉の背面側に取付けられるフランス落し。
【図１２】従来の一般的な折畳み扉装置。
【発明を実施するための形態】
【００１８】
図１は本発明に係る格子状パネルで構成した折畳み扉装置の外観を示し、（ａ）は折畳み扉が伸長した全閉状態、（ｂ）は折畳み扉が折畳まれた全開状態を表している。折畳み扉１は上枠と下枠にて構成した枠体２に装着されていて、同図のように開閉することが出来る。該折畳み扉１は複数枚の格子状パネルを有し、折畳み扉１が伸長した場合には複数本の格子３，３・・・が等間隔で配列され、該折畳み扉表面は一平面を構成している。ここで、同図に示す枠体２は上枠４と下枠６で構成しているが、上枠４、下枠６、及び両縦枠を枠組みした枠体２とすることも出来る。
【００１９】
図２は折畳み扉１が上記枠体２に装着された縦断面を示しているが、該折畳み扉１は枠体２の上枠４に設けた上レール５及び下枠６に設けた下レール７に取付けられている。すなわち、折畳み扉１を構成する各パネル８，８・・の片側の上下には吊車９，９・・及びスライダー１０，１０・・が取着されていて、該吊車９，９・・は上レール５に載り、スライダー１０，１０・・は下レール７に遊嵌される。
【００２０】
枠体２に折畳み扉１を装着する場合、該折畳み扉１は折畳まれた状態で装着されるが、下レール７にスライダー１０，１０・・を嵌め、その後で吊車９，９・・を上レール片５ａに載せる。ここで、上枠２は２ピースの分割構造と成っていて、上枠本体１１のみが建物壁面１２に取付けられている。しかも、この上枠本体１１は壁面１２に固定されている概略Ｌ形金具１３に係止し、上端部にてネジ止めされている。
【００２１】
そして、このネジ止めした部分を被覆する為のキャップを取付けている。従って、上枠本体１１には片側上レール片５ａが形成されていて、吊車９，９・・の片側輪が載ることが出来る。その後で、補助上枠１４を取付けて図２のように成り、反対側の車輪は補助上枠１４の片側上レール片５ｂに載ることが出来る。
【００２２】
図３は本発明の折畳み扉の横断面を示したもので、（ａ）は折畳み扉が伸長して閉じた状態を、（ｂ）は折畳み扉が折畳まれて全開状態を夫々表している。折畳み扉は複数枚のパネル８，８・・を有し、各パネル８，８・・はパンタグラフ式リンク機構１５に取付けられている。同図に示す実施例では、窓の外側に本発明の折畳み扉装置が装着され、一種の目隠しとして機能している。
【００２３】
図４はリンク機構１５が折畳み扉１の上端に取付けられている場合の詳細図を示しているが、ひし形を成して連結しているリンク１６ａ，１６ｂ，１６ｃ・・には、パネル８，８，８・・が取付けられていることで、リンク機構１５が伸縮するならば、各リンク１６ａ，１７ａ，１６ｂ，１７ｂ，１６ｃ，１７ｃ・・の動きに伴ってパネル８，８，８・・は回転する。従って、各リンク１６ａ，１７ａ，１６ｂ，１７ｂ，１６ｃ，１７ｃ・・が一直線状になって伸長すれば、リンク１６ａ，１６ｂ，１６ｃ・・に取付けられている各パネル８，８，８・・も一直線状に配列されて全閉状態と成る。
【００２４】
パンタグラフ式リンク機構１５は従来から周知の機構である為に詳細な説明は省略するが、リンク１７ｂとリンク１６ｃの連結部、リンク１７ｃとリンク１６ｄの連結部には吊車９，９・・が取付けられ、同じく下方にはスライダー１０，１０・・が取付けられている。すなわち、パネル８，８・・の片側に吊車９，９・・とスライダー１０，１０・・が設けられている。
【００２５】
そこで、図３（ａ）の全閉状態、すなわち各リンク１６ａ，１７ａ，１６ｂ，１７ｂ・・・・が一直線状に成っている状態からリンク機構１５が収縮され、そして、図３（ｂ）のようにリンク機構１５がさらに縮むならば、折畳み扉は折畳まれ、該リンク機構１５の各リンク１６ａ，１６ｂ，１６ｃ・・は上下レール５，７に対して垂直を成して配列される。従って、リンク１６ａ，１６ｂ，１６ｃ・・に取着している各パネル８，８・・・も上下レール５，７に対して垂直を成して配列する。
【００２６】
図５は折畳み扉１が伸長して間口が完全に閉鎖した場合の正面図である。この状態はリンク機構１５が一直線状に成り、上下のリンク機構１５，１５の間にパネル８，８・・・が一直線状に連結している。そして、パネル８は複数本の格子３，３・・・から成り、その為に全閉状態では格子３，３・・・が一定間隔で配列している。従って、各格子３，３・・・の間には隙間（空間）が形成され、この隙間から空気が流入し、又光が差込むことが出来る。しかし、複数本の格子３，３・・・が存在することで外とは適当に仕切られて他人の視線が緩和される。むしろ、外から該格子３，３・・・の隙間を通して内部を見ることは殆ど出来ない。
【００２７】
図６は折畳み扉１が収縮されて折畳まれた場合であり、各パネル８，８・・・は互いに重なり合って片側に寄せられる。図７は折畳まれたパネル８，８・・・が互いに重なり合った状態を示しているが、パネル８を構成している格子３はその断面が底面のない台形を成し、背面側の格子３は正面側の格子３に嵌って重合される。従って、折畳み扉１の折畳み幅は小さくなり、逆に開口幅は大きくなる。ここで、格子３の断面を同図に示す台形に限るものではなく、半円形断面とすることも可能である。そして、格子３の高さはリンク幅より大きく、すなわち、正面側に大きく突出していることで、伸長して閉じた状態ではリンク１６，１７は配列している各格子３，３・・・によって見え難いようにカバーされる。
【００２８】
図８は折畳み扉１の断面を示し、（ａ）は折畳み扉１が伸長して閉鎖状態の断面図、（ｂ）は折畳み扉１が折畳み行程にある断面図、（ｃ）は折畳み扉１が完全に折畳まれた場合の断面図をそれぞれ示している。同図に示す折畳み扉１のパネル８ａ，８ｂ・・・は３本の格子３，３・・・を有し、該パネル８ａ，８ｂ・・・は３本の格子３，３，３の上下端にリンク１６ａ，１６ｂ，１６ｃ・・・を有して構成している。
【００２９】
そして、これらリンク１６ａ，１６ｂ・・・とリンク１７ａ，１７ｂ・・・とが互いに連結してリンク機構１５が構成され、先端側のパネル８ｈを押圧することで折畳み扉１は収縮して折畳まれる。ここで、パネル上端の上記リンク１６ａ，１６ｂ・・・とリンク１７ａ，１７ｂ・・・の連結部１９，１９・・・には吊車９，９・・・が取付けられ、パネル下端のリンク１６ａ，１６ｂ・・・とリンク１７ａ，１７ｂ・・・の連結部１９，１９・・・にはスライダー１０，１０・・・が設けられている。
【００３０】
図９は互いに連結するリンク１６とリンク１７の詳細図を示している。（ａ）はリンク１６，１７が屈曲して連結している場合で、（ｂ）はリンク１６，１７が一直線状に延びている場合である。各リンク１６，１７の先端には切欠き２０，２１が形成され、その為に互いに干渉することなく（ｂ）に示すように噛み合って一直線状に延びることが出来る。勿論、リンク１６，１７の連結部１９の位置は外側へ位置ズレしているが、内側に切欠き２０，２１を設けることで連結部１９，１９が邪魔にならないで一直線状に延びることが出来る。
【００３１】
図１０は折畳み扉１が伸長して全閉状態の背面図であり、該折畳み扉１の背面側にはフランス落し２２を設けている。そして、図１１はこのフランス落し２２の拡大図であり、ツマミ２３を降下するならば、落し棒２４が落下してリンク１６，１７と係合する。すなわち、前記図９（ｂ）に示す一直線状に延びたリンク機構１５のリンク１６，１７の側面に係合し、該リンク機構１５は収縮されないようになる。すなわち、折畳み扉１を折畳むことが出来なくなる。
【符号の説明】
【００３２】
１  折畳み扉
２  枠体
３  格子
４  上枠
５  上レール
６  下枠
７  下レール
８  パネル
９  吊車
10  スライダー
11  上枠本体
12  建物壁面
13  Ｌ形金具
14  補助上枠
15  リンク機構
16  リンク
17  リンク
19  連結部
20  切欠き
21  切欠き
22  フランス落し
23  ツマミ
24  落とし棒
【図１】
2010248718.tif 000003
【図２】
2010248718.tif 000004
【図３】
2010248718.tif 000005
【図４】
2010248718.tif 000006
【図５】
2010248718.tif 000007
【図６】
2010248718.tif 000008
【図７】
2010248718.tif 000009
【図８】
2010248718.tif 000010
【図９】
2010248718.tif 000011
【図１０】
2010248718.tif 000012
【図１１】
2010248718.tif 000013
【図１２】
2010248718.tif 000014